(57)【要約】【課題】スクリーンパネルを三次元形状としても、不使用状態では前後寸法を小さくでき、保管や輸送効率を向上しうるようにする。【解決手段】上部フレームと左右１対の側部フレーム２bとを備える下向きコ字状のフレーム２に、張り材４を張設し、左右の側部フレーム２bにおける下端の対向面に、後向き凸状に折曲された左右方向を向く可動フレーム３の両側端部を、張り材４に張力を付与してこれを後向きに膨出させる使用状態と、側部フレーム２bと平行をなして上下方向を向く不使用状態とに、選択的に固定しうるようにして取付ける。【選択図】  図１
2008093071.tif 000002
【特許請求の範囲】
【請求項１】
互いに離間する左右１対の側部フレームを備えるフレームに、伸縮自在な張り材を張設し、前記左右の側部フレームに、後向き凸状に折曲された左右方向を向く可動フレームの両側端部を、前記張り材に張力を付与して、これを後向きに膨出させる使用状態と、前記側部フレームと平行をなして上下方向を向く不使用状態とに、選択的に固定しうるようにして取付けたことを特徴とするスクリーンパネル。
【請求項２】
可動フレームの両側端部を、側部フレームの下端の対向面に取付けるとともに、張り材の下端を可動フレームに止着してなる請求項１記載のスクリーンパネル。
【請求項３】
フレームを、両側部フレームの上端に上部フレームを有する正面視下向きコ字状をなすものとし、このフレーム全体に張り材を張設してなる請求項１または２記載のスクリーンパネル。
【請求項４】
可動フレームの中間部に、使用状態において接床する接床部材を取付けてなる請求項２または３記載のスクリーンパネル。
【請求項５】
両側部フレームの下端に、ピボット軸を介して、接床板を取付けてなる請求項２〜４のいずれかに記載のスクリーンパネル。
【請求項６】
可動フレームを、パイプよりなり、かつ全体を、平面視ほぼ後向き凸円弧状に湾曲させたものとしてなる請求項１〜５のいずれかに記載のスクリーンパネル。
【請求項７】
可動フレームの側端部を、左右方向を向くねじにより、使用状態と不使用状態とに固定しうるようにするとともに、ねじを緩めることにより、可動フレームを、ねじを中心として回動操作させうるようにした請求項１〜６のいずれかに記載のスクリーンパネル。
【請求項８】
側部フレームと可動フレームとの互いの取付部の対向面の一方に、可動フレームを使用状態と不使用状態とに回り止めする被係合部を、かつ他方に、被係合部と補形をなす係合部を設けてなる請求項１〜７のいずれかに記載のスクリーンパネル。
【請求項９】
被係合部と係合部とを、可動フレームの回動中心から放射方向に延出する複数の山部と谷部を、円周方向に交互に形成してなるものとした請求項８記載のスクリーンパネル。
【請求項１０】
側部フレームと可動フレームとの取付部に、連結部材をそれぞれ固着し、一方の連結部材に設けた左右方向を向く挿通孔に挿入したボルトを、他方の連結部材に設けためねじ孔に螺合することにより、両連結部材同士を互いに固定可能とし、かつ両連結部材の対向面に、被係合部と係合部を設けてなる請求項８または９記載のスクリーンパネル。
【請求項１１】
左右の側部フレームの下端に、ベース脚を、前後方向を向く使用状態と、左右方向を向く不使用状態とに選択的に固定しうるように設けてなる請求項１〜１０のいずれかに記載のスクリーンパネル。
【発明の詳細な説明】
【技術分野】
【０００１】
本発明は、間仕切りパネルや目隠し用のパネル等として用いられる、クロス等の伸縮自在な張り材が張設されたスクリーンパネルに関する。
【背景技術】
【０００２】
オフィスの執務空間等において、間仕切りパネルや衝立、または机等に取付けて目隠し用のパネルとして使用されるスクリーンパネルとしては、例えば特許文献１〜３に記載されているものがある。
【特許文献１】特開２００４−１５９６７４号公報
【特許文献２】特開２００５−２１３９３号公報
【特許文献３】特開２００６−１１２０５９号公報
【発明の開示】
【発明が解決しようとする課題】
【０００３】
上記特許文献１に記載されているスクリーンパネルにおいては、張り材(スクリーン）の上下両端を保持して張設する横フレームの構造が複雑であり、かつスクリーンパネルを自立させる十字状のベース脚を有しているので、部品点数が多く、コスト高となる問題がある。
また、スクリーンパネル全体の前後寸法が比較的大きいので、これを梱包すると、荷姿も大きくなり、保管効率や運搬時の輸送効率が低下する。この問題をなくすために、各部材を分解して梱包し、設置現場で組立てようとすると、組立てに多くの時間を要し、作業能率が悪くなる。
【０００４】
特許文献２に記載のスクリーンパネル（サイドスクリーン）は、自立しうるように、下端部の幅寸法を上端部よりも大とした三次元状の立体形としてあるため、上記と同様、梱包時の荷姿が大きくなり、保管や輸送効率が悪くなるという問題がある。
また、張り材は、下端部の幅が大きい袋状をなしているので、圧迫感や重厚感があり、かつ見栄えも悪い。
【０００５】
特許文献３に記載のスクリーンパネル(クロスパネル）は、左右方向を向く中間フレームを、張り材(クロス材）を外方に膨出させるように、外向きに湾曲させて、スクリーンパネルを三次元状に形成しているが、中間フレームは、側部フレームに固定的に取り付けられているので、スクリーンパネルの幅寸法が大きくなり、上記と同様の問題が生じる。
また、スクリーンパネル単独では自立できないという問題もある。
【０００６】
本発明は、上記問題点に鑑みてなされたもので、三次元形状としても、不使用状態では前後寸法を小さくでき、保管や輸送効率を向上しうるとともに、簡単な構成で見栄えもよく、かつ組立作業性に優れるスクリーンパネルを提供することを目的としている。
【課題を解決するための手段】
【０００７】
本発明によると、上記課題は、次のようにして解決される。
（１）互いに離間する左右１対の側部フレームを備えるフレームに、伸縮自在な張り材を張設し、前記左右の側部フレームに、後向き凸状に折曲された左右方向を向く可動フレームの両側端部を、前記張り材に張力を付与して、これを後向きに膨出させる使用状態と、前記側部フレームと平行をなして上下方向を向く不使用状態とに、選択的に固定しうるようにして取付ける。
【０００８】
（２）上記(１)項において、可動フレームの両側端部を、側部フレームの下端の対向面に取付けるとともに、張り材の下端を可動フレームに止着する。
【０００９】
（３）上記(１)または(２)項において、フレームを、両側部フレームの上端に上部フレームを有する正面視下向きコ字状をなすものとし、このフレーム全体に張り材を張設する。
【００１０】
（４）上記(２)または(３)項において、可動フレームの中間部に、使用状態において接床する接床部材を取付ける。
【００１１】
（５）上記(２)〜(４)項のいずれかにおいて、両側部フレームの下端に、ピボット軸を介して、接床板を取付ける。
【００１２】
（６）上記(１)〜(５)項のいずれかにおいて、可動フレームを、パイプよりなり、かつ全体を、平面視ほぼ後向き凸円弧状に湾曲させたものとする。
【００１３】
（７）上記(１)〜(６)項のいずれかにおいて、可動フレームの側端部を、左右方向を向くねじにより、使用状態と不使用状態とに固定しうるようにするとともに、ねじを緩めることにより、可動フレームを、ねじを中心として回動操作させうるようにする。
【００１４】
（８）上記(１)〜(７)項のいずれかにおいて、側部フレームと可動フレームとの互いの取付部の対向面の一方に、可動フレームを使用状態と不使用状態とに回り止めする被係合部を、かつ他方に、被係合部と補形をなす係合部を設ける。
【００１５】
（９）上記(８)項において、被係合部と係合部とを、可動フレームの回動中心から放射方向に延出する複数の山部と谷部を、円周方向に交互に形成してなるものとする。
【００１６】
（１０）上記(８)または(９)項において、側部フレームと可動フレームとの取付部に、連結部材をそれぞれ固着し、一方の連結部材に設けた左右方向を向く挿通孔に挿入したボルトを、他方の連結部材に設けためねじ孔に螺合することにより、両連結部材同士を互いに固定可能とし、かつ両連結部材の対向面に、被係合部と係合部を設ける。
【００１７】
（１１）上記(１)〜(１０)項のいずれかにおいて、左右の側部フレームの下端に、ベース脚を、前後方向を向く使用状態と、左右方向を向く不使用状態とに選択的に固定しうるように設ける。
【発明の効果】
【００１８】
請求項１記載の発明によれば、スクリーンパネルが、使用状態において張り材が後向きに膨出する三次元状をなすものであっても、可動フレームを、側部フレームと平行なして上下方向を向く不使用状態に固定することにより、スクリーンパネルの前後寸法は極めて小さくなる。従って、スクリーンパネルをケース等に収納して梱包する際に、コンパクトに梱包することができ、保管や輸送効率が向上する。
また、可動フレームを、使用状態と不使用状態とに選択的に固定するだけで、スクリーンパネルを、使用状態と不使用状態とに、形態の変更を容易に行うことができる。
【００１９】
請求項２記載の発明によれば、可動フレームを使用状態に固定すると、可動フレームが脚体としての機能を兼ねるようになり、スクリーンパネルは単独で自立することができるので、床面に設置する際に、別部材としての脚体を取付ける必要はなく、部品点数を削減しうる。
また、張り材の下端が可動フレームに止着されているので、張り材は、下部側が後方に大きく膨らむ三次元的形状に見栄えよく張設されるとともに、スクリーンパネルの安定感も増す。
【００２０】
請求項３記載の発明によれば、フレームが強固になるので、張り材を、たるみのない三次元的形状に、より見栄えよく張設することができる。
【００２１】
請求項４記載の発明によれば、可動フレームに止着された張り材の下面と、床面との間に隙間が形成されるので、張り材の下面が汚れたり、損傷したりするのが防止される。
【００２２】
請求項５記載の発明によれば、床面が傾斜していたり、スクリーンパネルを後傾させて前方に倒れにくいようにしたりしても、接床板がピボット軸を中心に首振り回動してその下面は常に接床するので、スクリーンパネルを安定して床面に設置することができる。
【００２３】
請求項６記載の発明によれば、使用状態において、張り材の下部側が、後方に三次元的曲面状に大きく膨らむので、スクリーンパネルの見栄えがより向上するとともに、安定性も増大する。
また、可動フレームは、パイプを折曲したものよりなっているため、軽量感がある。
【００２４】
請求項７記載の発明によれば、ねじを緩めたり、締め付けたりするだけで、可動フレームを容易に使用状態と不使用状態にしうるので、その都度可動フレームを側部フレームより着脱する必要はなく、作業性が極めてよい。
また、可動フレームを使用状態に回動するだけで、簡単に張り材に張力を付与することができ、かつ不使用状態に回動すると、張り材はたるみ、余計な張力が加わらないので、それが長持ちする。
【００２５】
請求項８記載の発明によれば、被係合部に係合部が係合することにより、側部フレームに対し、可動フレームを確実に回り止めして、使用状態と不使用状態とに位置決めして固定することができる。
【００２６】
請求項９記載の発明によれば、被係合部と係合部とが、複数の山部と谷部とを円周方向に交互に形成したものであり、互いの係合領域が大きいので、可動フレームの回り止め効果が高まる。
【００２７】
請求項１０記載の発明によれば、側部フレームと可動フレームとは、それらの取付部に固着した連結部材を介して取付けられ、かつ両連結部材はボルトにより直接固定可能としているため、側部フレームと可動フレームとの取付部の強度が増大し、互いの取付部が変形する恐れはない。
また、両連結部材の対向面に、被係合部と係合部を設けてあるので、例えば高さの高いスクリーンパネルとしたり、側部及び可動フレームを細めのパイプにより形成したりしても、側部フレームに対し、可動フレームを強固に回り止めして固定することができる。
【００２８】
請求項１１記載の発明によれば、側部フレームの下端にベース脚を設けて、スクリーンパネルを自立しうるようにしても、ベース脚は、左右方向を向く不使用状態に固定しうるので、スクリーンパネルをコンパクトに梱包することができ、その保管や輸送効率が向上する。
【発明を実施するための最良の形態】
【００２９】
以下、本発明の実施形態を、図面に基づいて説明する。
図１は、本発明のスクリーンパネルの第１の実施形態の、使用状態を示す斜視図、図２は、同じく側面図、図３は、同じく、不使用状態の斜視図、図４は、同じく、不使用状態の正面図、図５は、同じく、不使用状態の側面図である。
【００３０】
スクリーンパネルのフレーム１は、左右方向を向く上部フレーム２aと、上下方向を向く左右１対の側部フレーム２b、２bとにより前面視(以下、図２の左方を前として説明する）ほぼ下向きコ字状に折曲されたパイプよりなる固定フレーム２と、両側部フレーム２bの下端の対向面同士を連結している、使用状態での平面形がほぼ後向き凸円弧状をなすパイプ製の可動フレーム３とからなり、前面視矩形枠状を呈している。
【００３１】
固定フレーム２における上部フレーム２aと両側部フレーム２b及び可動フレーム３には、張り材４の周端縁に形成された袋状部４aが挿嵌され、張り材４は、後方に向かって三次元状に膨出するように、フレーム１に張設されている。
張り材４は、例えば半透光性もしくは透光性の伸縮自在なクロス又はシート等よりなっている。
【００３２】
図７〜図９は、上記側部フレーム２bと可動フレーム３とを連結する連結部材５、６（左右対称で同一形状をなすため、左方のもののみ図示する)を示すもので、一方の垂直をなす連結部材５の上方を向く連結軸５aは、側部フレーム２bの下端部に嵌合され、連結軸５aのめねじ孔７に螺合した止めねじ８により固定されている。  他方のく字状をなす連結部材６における、使用状態において内方を向く連結軸６aは、可動フレーム３の側端部に嵌合され、連結軸６aのめねじ孔７に螺合した止めねじ８により固定されている。
【００３３】
図７に示すように、連結部材５の内側面に突設された円筒突部５b内には、その内端面に、左右方向を向く有底の軸孔９を中心として放射方向を向く山部と谷部を、円周方向に９０度の間隔をもって交互に形成することにより、凹凸状の回り止め用被係合部１０が設けられている。
また、連結部材６における下端部の外側面に突設された、上記円筒突部５bと同径をなし、かつ中心にボルト挿通孔１１を有する円形突部６bの外面には、上記被係合部１０と補形をなして、それに嵌合可能な回り止め用の係合部１２が突設されている。
【００３４】
被係合部１０に係合部１２を嵌合させると、連結部材６は、連結部材５に対し、９０度ずつ段階的に回り止めがなされる。従って、連結部材６のボルト挿通孔１１に内方より挿入したボルト１３を、連結部材５の軸孔９の奥部に形成しためねじ（図示略）に螺合することにより、連結部材６とそれに連結された可動フレーム３を、図１、図２及び図８に示すように、後向き水平をなす使用状態に回り止めして固定することができる。また、同じく図３〜図５及び図９に示すように、連結部材６と可動フレーム３を、連結部材５及びそれに連結された側部フレーム２bの内側面と平行をなして、上下方向を向く不使用状態に回り止めして固定することができる。
【００３５】
上記可動フレーム３を使用状態と不使用状態にするには、ボルト１３を緩めて、固定フレーム２の下端部を外方に拡開させるか、可動フレーム３を内向きに若干撓ませつつ、これを回動させるだけでよく、側部フレーム２bに可動フレーム３を連結したまま行うことができる。
【００３６】
上記のように、連結部材６と可動フレーム３を、後向き水平をなす使用状態まで回動させて固定すると、張り材４全体に引張力が作用し、図１及び図２に示すように、下部側が後方に凸曲面状に大きく膨らむ三次元的形状に見栄えよく張設されるとともに、スクリーンパネルの安定感も増す。
また、可動フレーム３は、脚体としての機能を兼ねているので、別部材としての脚体を取り付ける必要はなく、スクリーンパネルを、単独で自立させることができる。
【００３７】
連結部材５の下端部に形成されためねじ孔（図示略）には、高さ調整用アジャスタ１４における円形接床板１５の中心の上向きのねじ軸１６が螺合されている。なお、図１０に示すように、ねじ軸１６は、その下端部に形成された球形部１６aを、円形接床板１５の上面の球状凹孔１５aに圧嵌することにより、ピボット軸を兼ねている。
【００３８】
これにより、円形接床板１５は、ねじ軸１６を中心として多方向に首振り可能となり、その下面を常に接床させることができる。従って、床面が傾斜していたり、スクリーンパネルを若干後傾させて、前方に倒れにくいようにしたりしても、円形接床板１５の下面と床面との間に隙間が形成されることがなく、スクリーンパネルを安定して床面に設置することができる。
【００３９】
可動フレーム３の左右方向の中央部には、接床部材１７が下方よりねじ止めされ、これを接床させることにより、可動フレーム３に挿通した張り材４の袋状部４aの下面が、床面に接触して汚れたり、損傷したりするのが防止される。なお、接床部材１７や上記のアジャスタ１４は、省略して実施することもある。
【００４０】
以上説明したように、上記第１の実施形態のスクリーンパネルにおいては、可動フレーム３は、後向き水平をなす使用状態と、左右の側部フレーム２b間において上方を向く不使用状態とに、選択的に側部フレーム２bの下端に固定しうるため、スクリーンパネルを、使用状態と不使用状態とに、形態の変更を容易に行うことができる。
また、不使用状態としたとき、可動フレーム３と側部フレーム２bとは、互いに上下方向を向いて平行となるため、スクリーンパネルの前後（幅）寸法は、図５に示すように極めて小さくなる。従って、図６に示すように、アジャスタ１４と接床部材１７を取り外した状態（これらは別梱包とする）で、スクリーンパネルを段ボール箱等のケース１８に収納して梱包する際に、コンパクトに梱包することができ、保管や輸送効率が向上する。
【００４１】
さらに、スクリーンパネルは、構成部材の部品点数が少なく、簡単な構造であり、かつ予め連結された可動フレーム３を、単に不使用状態から使用状態に回動させて固定するだけでよいので、組立作業性も極めてよい。
【００４２】
図１１〜図１４は、本発明のスクリーンパネルの第２の実施形態を示す。
この第２の実施形態のスクリーンパネルは、上半部を上記第１の実施形態と同形をなすフレーム１とし、このフレーム１の下端に脚体１９を取り付け、フレーム１と脚体１９に張り材４を張設したものである。
【００４３】
脚体１９は、左右の連結部材５、５における下端部のめねじ孔に上端部の雄ねじ部２０a が螺着された左右１対のパイプ状の脚柱２０、２０と、両脚柱２０の下端の対向面に両側端がねじ２１により固定された横連結杆２２と、左右の脚柱２０の下端のめねじ孔２３に、中央部がねじ２４により固定された前後方向を向く左右１対のベース脚２５、２５とからなっている。
【００４４】
張り材４の周端縁の袋状部４aは、フレーム１と、左右の脚柱２０と、横連結杆２２とに挿入されており、可動フレーム３は、使用状態において、張り材４に張力を付与しつつ後方に膨出させるために、その中央部の前面に押し当てているだけである。
第２の実施形態のように、下端に前後方向を向くベース脚２５を有するスクリーンパネルにおいても、図１４に示すように、可動フレーム３を、側部フレーム２bと平行をなすように下向き（上向きでもよい）に回動させるとともに、左右のベース脚２５を、ねじ２４を緩めて、左右方向を向くように回動させることにより、容易に不使用状態とすることができ、かつ全体の前後寸法が小さくなることにより、上記第１の実施形態と同様、コンパクトに梱包することができる。なお、ベース脚２５は取外して梱包してもよく、このようにすれば、よりコンパクトに梱包することができる。
【００４５】
本発明は、上記実施形態に限定されるものではない。
第１の実施形態のスクリーンパネルにおいては、接床させて使用するために、脚体を兼ねる可動フレーム３を、左右の側部フレーム２bの下端の対向面に回動可能に設けているが、机やテーブルの天板の側方などにスクリーンパネルを取り付ける際には、可動フレーム３は、側部フレーム２bの上下方向の中間部に、回動可能に設けてもよい。
この際には、例えばフレーム１を枠状とし、これに張設した張り材４の前面の中間部に可動フレーム３を押し当てて、張り材４に張力を付与するようにすればよい。
【００４６】
第２の実施形態において、張り材４は、脚体１９を除いた上半部のフレーム１のみに張設してもよい。すなわち、第１の実施形態のスクリーンパネルにおける左右の側部フレーム２bの下端に、脚体１９を取り付けたような形態としてもよい。
【図面の簡単な説明】
【００４７】
【図１】本発明のスクリーンパネルにおける第１の実施形態の使用状態の斜視図である。
【図２】同じく、側面図である。
【図３】同じく、不使用状態の斜視図である。
【図４】同じく、不使用状態の正面図である。
【図５】同じく、不使用状態の側面図である。
【図６】同じく、梱包時の斜視図である。
【図７】同じく、側部フレームと可動フレームの連結部材の斜視図である。
【図８】同じく、使用状態としたときの連結部材の斜視図である。
【図９】同じく、不使用状態としたときの連結部材の斜視図である。
【図１０】同じく、アジャスタの縦断面図である。
【図１１】本発明のスクリーンパネルにおける第２の実施形態の使用状態の斜視図である。
【図１２】同じく、側面図である。
【図１３】同じく、フレームへの脚体の取付け形態を示す分解側面図である。
【図１４】同じく、不使用状態の斜視図である。
【符号の説明】
【００４８】
１  フレーム
２  固定フレーム
２a 上部フレーム
２b 側部フレーム
３  可動フレーム
４  張り材
４a 袋状部
５  連結部材
５a 連結軸
５b 円筒突部
６  連結部材
６a 連結軸
６b 円形突部
７  めねじ孔
８  止めねじ
９  軸孔
１０ 被係合部
１１ ボルト挿通孔
１２ 係合部
１３ ボルト
１４ アジャスタ
１５ 円形接床板
１５a 球状凹孔
１６ ねじ軸（ピボット軸）
１６a 球形部
１７ 接床部材
１８ ケース
１９ 脚体
２０ 脚柱
２０a 雄ねじ部
２１ ねじ
２２ 横連結杆
２３ めねじ孔
２４ ねじ
２５ ベース脚
【図１】
2008093071.tif 000003
【図２】
2008093071.tif 000004
【図３】
2008093071.tif 000005
【図４】
2008093071.tif 000006
【図５】
2008093071.tif 000007
【図６】
2008093071.tif 000008
【図７】
2008093071.tif 000009
【図８】
2008093071.tif 000010
【図９】
2008093071.tif 000011
【図１０】
2008093071.tif 000012
【図１１】
2008093071.tif 000013
【図１２】
2008093071.tif 000014
【図１３】
2008093071.tif 000015
【図１４】
2008093071.tif 000016